(57)【特許請求の範囲】
【請求項１】
ブックカバーの主カバーの一端に差し込み部を設け、その上部を縫合し、この主カバーを包み込むように重ねられる下部カバーの一端にも差し込み部を設け、その下部を縫合し、主カバーと下部カバーの重なり具合で本の縦サイズを調整し、カバーの差し込み部を設けていない一端の折り返し線を変更し、本の横サイズと厚さを調整することを特徴とするサイズ調整の出来るブックカバー。
【請求項２】
主カバーの下端と下部カバーの上端を下部カバーの縦幅同等の幅を持つ、布等の柔らかい素材でつなぎ合わせた上で、主カバーを包み込むように下部カバーを重ねることにより、主カバーと下部カバーの間にポケットを作成させることを特徴とする請求項１記載の表面にもポケットの有るブックカバー。
【発明の詳細な説明】
【技術分野】
【０００１】  本発明は様々な大きさの本に対応できる、サイズ調整の出来るブックカバーに関するものである。
【背景技術】
【０００２】  従来、ブックカバーは紙製の物が中心で、本の大きさに合わせて折り目を付け、包んでいた。
布等のブックカバーは単行本用に縫製してある物はあったが、たとえば、新書版（ハードカバーブック）や外国書が利用できる物やサイズ調整の出来るブックカバーは市販されていなかった。
なお、布等を使い、ブックカバーを形成する本体を本のサイズにあわせて縦方向と横方向に折り返し、その折り返し部分にマグネット、または、面ファスナーを施すことで、自由にサイズを変更できるブックカバーの発明が知られている（特許文献１）。
【特許文献１】特開２００４−９８６６５号公報
【発明の開示】
【発明が解決しようとする課題】
【０００３】  そのために、次のような問題点があった。
（イ）紙製の物は本への装着が面倒であり、さらに外れないようにするには、粘着テープ等で貼り付ける必要があった。
（ロ）紙製の物は折り目が残ってしまい、また汗や汚れを取り除くことが出来ず、痛みやすく再利用が困難であった。
（ハ）単行本用の布製のブックカバーは単行本以外の本には対応できず、また新書版（ハードカバーブック）など大きさの様々な本に利用できる物は販売されていなかった。
本発明は以上の問題点を解決しようとするものである。
【課題を解決するための手段】
【０００４】  ブックカバーの主カバーの一端に差し込み部を設け、その上部を縫合し、この主カバーを包み込むように重ねられる下部カバーの一端にも差し込み部を設け、その下部を縫合し、主カバーと下部カバーの重なり具合で本の縦サイズを調整し、カバーの差し込み部を設けていない一端の折り返し線を変更し本の横サイズと厚さを調整することを特徴とするサイズ調整の出来るブックカバーである。【０００５】  前記サイズ調整の出来るブックカバーにおいて、主カバーの下端と下部カバーの上端を下部カバーの縦幅同等の幅を持つ、布等の柔らかい素材でつなぎ合わせた上で、主カバーを包み込むように下部カバーを重ねることにより、主カバーと下部カバーの間にポケットを作成させることを特徴とする表面にもポケットの有るブックカバー。
【発明の効果】
【０００６】  本発明は、様々な大きさの本に対し簡単に大きさを調整できてしっかり本にフィットさせることが出来る。したがって、本からズレ落ちる心配がなく、耐久性に優れており再利用が容易である。
また、布製であれば汚れは洗うことが出来、革製であれば汚れはふき取ることが出来る為、清潔で気持ちよく使うことが出来る。
さらに、ブックカバーの表紙差し込み部にポケットが形成され栞などを挿しておくことが出来る。
【発明を実施するための最良の形態】
【０００７】  以下、本発明の実施の形態を説明する。
（イ）ブックカバーの主カバー（１）の一端を折り返して上部を縫合し上部差し込み部（３）を設ける。
（ロ）主カバー（１）の上部に上部折り返し線（７）より中心寄りの適当な位置に上部帯（５）を取り付ける。
（ハ）主カバー（１）の上部差し込み部（３）の表側下部に面ファスナー雌片（１１）と、上部折り返し部（９）の表側下部に面ファスナー雌片（１３）、上部帯（５）の先端裏側に面ファスナー雄片（１５）を取り付ける。
（ニ）主カバー（１）を包み込むように重ねられる下部カバー（２）の一端を折り返して下部を縫合し下部差し込み部（４）を設ける。
（ホ）下部カバー（２）の下部に下部折り返し線（８）より中心寄りの適当な位置に下部帯（６）を取り付ける。
（ヘ）下部カバー（２）の下部差し込み部（４）の裏側上部に面ファスナー雄片（１２）と、下部折り返し部（１０）の裏側上部に面ファスナー雄片（１４）、下部帯（６）の先端表側に面ファスナー雌片（１６）を取り付ける。
本発明は、以上の構成よりなっている。
本発明を使用するときは、主カバー（１）を下部カバー（２）の下部差し込み部（４）に差し入れ、本の縦サイズに合わせて上部差し込み部（３）の面ファスナー雌片（１１）と下部差し込み部（４）の面ファスナー雄片（１２）を密着させ、上部折り返し部（９）の面ファスナー雌片（１３）と下部折り返し部（１０）の面ファスナー雄片（１４）を密着させる。
本の表紙を上部差し込み部（３）と下部差し込み部（４）とで出来た袋に差し込み、本の裏表紙に合わせて上部折り返し部（９）と下部折り返し部（１０）とで出来た一端を折り返したところを上部帯（５）の面ファスナー雄片（１５）と下部帯（６）の面ファスナー雌片（１６）を密着させて固定する。
主カバー（１）と下部カバー（２）の重なる縦幅の範囲で本の縦サイズに対応できると共に、上部折り返し部（９）と下部折り返し部（１０）とで出来た一端の長さの範囲で本の横サイズと厚さに対応することができる。
なお、各面ファスナーは磁石等を利用しても良く、上部折り返し部（９）と下部折り返し部（１０）とで出来た一端を折り返したところでの固定方法はゴム等にしても良い。
【実施例１】
【０００８】  以下、本発明の他の実施例１の形態（図４）を説明する。
主カバー（１）下部カバー（２）をつなぎ合わせ部（１７）を着けて接続する。
（ト）ブックカバーの主カバー（１）の一端を折り返して上部を縫合し上部差し込み部（３）を設ける。
（チ）主カバー（１）の上部に上部折り返し線（７）より中心寄りの適当な位置に上部帯（５）を取り付ける。
（リ）主カバー（１）の上部差し込み部（３）の表側下部に面ファスナー雌片（１１）と、上部折り返し部（９）の表側下部に面ファスナー雌片（１３）、上部帯（５）の先端裏側に面ファスナー雄片（１５）を取り付ける。
（ヌ）主カバー（１）を包み込むように重ねられる下部カバー（２）の一端を折り返して下部を縫合し下部差し込み部（４）を設ける。
（ル）下部カバー（２）の下部に下部折り返し線（８）より中心寄りの適当な位置に下部帯（６）を取り付ける。
（ヲ）下部カバー（２）の下部差し込み部（４）の裏側上部に面ファスナー雄片（１２）と、下部折り返し部（１０）の裏側上部に面ファスナー雄片（１４）、下部帯（６）の先端表側に面ファスナー雌片（１６）を取り付ける。
本発明の他の実施例１の形態は、以上の構成よりなっている。
本発明の他の実施例１を使用するときは、主カバー（１）を下部カバー（２）の下部差し込み部（４）に差し入れ、つなぎ合わせ部（１７）をたたみ込む、本の縦サイズに合わせて上部差し込み部（３）の面ファスナー雌片（１１）と下部差し込み部（４）の面ファスナー雄片（１２）を密着させ、上部折り返し部（９）の面ファスナー雌片（１３）と下部折り返し部（１０）の面ファスナー雄片（１４）を密着させる。
本の表紙を上部差し込み部（３）と下部差し込み部（４）とで出来た袋に差し込み、本の裏表紙に合わせて上部折り返し部（９）と下部折り返し部（１０）とで出来た一端を折り返したところを上部帯（５）の面ファスナー雄片（１５）と下部帯（６）の面ファスナー雌片（１６）を密着させて固定する。
主カバー（１）と下部カバー（２）の重なる縦幅の範囲で本の縦サイズに対応できると共に、上部折り返し部（９）と下部折り返し部（１０）とで出来た一端の長さの範囲で本の横サイズと厚さに対応することができる。
なお、各面ファスナーは磁石等を利用しても良く、上部折り返し部（９）と下部折り返し部（１０）とで出来た一端を折り返したところでの固定方法はゴム等にしても良い。
【実施例２】
【０００９】  また、上部帯（５）と下部帯（６）の取り付け位置をそれぞれ上部折り返し部（９）の端と下部折り返し部（１０）の端に取り付け、上部帯（５）と下部帯（６）をブックカバーの表面側で固定しても良い。
【図面の簡単な説明】
【００１０】
【図１】本発明の斜視図
【図２】本発明の分解斜視図
【図３】本発明の使用状態を示した斜視図
【図４】他の実施例１の斜視図
【図５】他の実施例１の分解斜視図
【符号の説明】
【００１１】１    主カバー
２    下部カバー
３    上部差し込み部
４    下部差し込み部
５    上部帯
６    下部帯
７    上部折り返し線
８    下部折り返し線
９    上部折り返し部
１０  下部折り返し部
１１  面ファスナー雌片
１２  面ファスナー雄片
１３  面ファスナー雌片
１４  面ファスナー雄片
１５  面ファスナー雄片
１６  面ファスナー雌片
１７  つなぎ合わせ部
【図１】
0005013199.tif 000002
【図２】
0005013199.tif 000003
【図３】
0005013199.tif 000004
【図４】
0005013199.tif 000005
【図５】
0005013199.tif 000006